(57)【要約】【課題】給水配管系内での死水発生を防止できるうえ、配管の圧力損失を低減できるヘッダー配管システムを提供する。【解決手段】水道から分岐した給水配管２の末端に末端給水栓３を接続し、給水配管２の途中箇所に少なくとも１個のヘッダー４を介在接続する。ヘッダー４の胴軸方向の少なくとも３箇所に相対向する流入側分岐口６と流出側分岐口７を設ける。胴部５内の流入・流出側分岐口６，７同士の間は連通させる。或る流出側分岐口７と、この流出側分岐口７に対向しない流入側分岐口６との間はループ状配管１２で接続し、該ループ状配管１２の複数箇所からスプリンクラーヘッド１３及び／又は給水栓１４を分岐している。流入側分岐口６のうち少なくとも２個は、複数の流路２Ａ，２Ｂ，２Ｃのいずれかにそれぞれ接続される。それらの流路に接続される流入側分岐口６のいずれかが、ループ状配管１２に接続される流出側分岐口７に対向している。【選択図】図１
2010236251.tif 000002
【特許請求の範囲】
【請求項１】
水道から分岐した給水配管の末端に末端給水栓を接続し、前記給水配管の途中箇所に少なくとも１個のヘッダーを介在接続したヘッダー配管システムにおいて、前記給水配管が複数の流路にいったん分かれ、前記複数の流路が前記末端給水栓に接続される前に合流し、前記ヘッダーは胴軸方向両端が閉塞された胴部の胴軸方向の少なくとも３箇所にそれぞれ胴径方向に相対向する一対の流入側分岐口と流出側分岐口とを設けており、前記胴部内の胴軸方向に隣り合う前記流入・流出側分岐口同士の間は連通させており、或る流出側分岐口と、この流出側分岐口に対向する流入側分岐口とは別の流入側分岐口との間は、ループ状配管で接続し、該ループ状配管の複数箇所からスプリンクラーヘッド及び／又は給水栓を分岐しており、前記流入側分岐口のうち少なくとも２個は、前記複数の流路のいずれかにそれぞれ接続されており、前記複数の流路のいずれかに接続される前記流入側分岐口のいずれかが、前記ループ状配管に接続される流出側分岐口に対向していることを特徴とする、ヘッダー配管システム。
【発明の詳細な説明】
【技術分野】
【０００１】
本発明は、一般住宅内やグループホーム内の台所、洗面所、浴室、トイレ、洗濯機周辺等に設置された各給水栓やスプリンクラー等に、ヘッダーを介して水道水を供給するヘッダー配管システムに関する。
【背景技術】
【０００２】
一般住宅の水道水を利用した住宅用スプリンクラー設備として、上水道から分岐した給水配管の途中に閉鎖型のスプリンクラーヘッドを継手を介して接続し、給水配管の末端にトイレ等の末端給水栓を接続したものがある（例えば、特許文献１、２参照。）。
また、給水、給湯配管システムとして、一般住宅内の台所、洗面所、浴室、トイレ、洗濯機周辺等に設置された各給水栓・給湯栓に、給水・給湯ヘッダーから給水・給湯するヘッダー工法も公知である（特許文献３、４参照。）。
【先行技術文献】
【特許文献】
【０００３】
【特許文献１】特開２００５−３３７号公報（図３）
【特許文献２】特開２００８−７３２０４号公報（図１）
【特許文献３】特開２００３−１３８６１３号公報（図１、図４）
【特許文献４】特開２００１−１９３１０９号公報
【発明の概要】
【発明が解決しようとする課題】
【０００４】
上水道から分岐した給水配管の末端に、日常頻繁に使うトイレ等の末端給水栓を接続した上記住宅用スプリンクラー設備によれば、給水配管系内に停滞水、つまり死水が発生するのを防止できるという利点がある。また上記住宅用スプリンクラー設備によれば、水道配管に直結しているので、特別な貯水槽や送水ポンプを必要とせず、停電時にもスプリンクラーが作動するという利点もある。
上記ヘッダー工法は、元分岐工法であるので、複数の水栓を同時使用した場合でも、他水栓の流量変動の影響を受けにくいという利点がある。
【０００５】
しかしながら、死水対策のために給水配管の末端をトイレ等の末端給水栓に接続する上記住宅用スプリンクラー設備では、比較的規模の大きいグループホームのように給水配管に多数のスプリンクラーヘッドを所定の取付ピッチで取り付けるとなると、配管長さが長くなり、それだけ配管の圧力損失が大きくなり、末端給水栓や末端近くの水栓又はスプリンクラーヘッドの水圧が低下して十分な放水量が得られないという問題がある。
【０００６】
本発明は、このような問題を解決するためになされたものであり、その目的とするところは、水道から分岐した給水配管の末端にトイレ等の末端給水栓を接続し、前記給水配管の途中箇所に少なくとも１個のヘッダーを介在接続するヘッダー配管システムにおいて、ヘッダーを改善するとともにループ状配管システムを採用することにより、給水配管系内での死水発生を防止できるうえ配管の圧力損失を低減できて末端給水栓やスプリンクラーヘッドや給水栓の水圧低下を防止できるヘッダー配管システムを提供することにある。
【課題を解決するための手段】
【０００７】
本発明は、請求項１に記載のように、発明の内容を理解し易くする為に図１〜図７に示した符号を参照して説明すると、水道から分岐した給水配管２の末端に末端給水栓３を接続し、給水配管２の途中箇所に少なくとも１個のヘッダー４を介在接続したヘッダー配管システムにおいて、前記給水配管２が複数の流路２Ａ，２Ｂ，２Ｃにいったん分かれ、前記複数の流路２Ａ，２Ｂ，２Ｃが前記末端給水栓３に接続される前に合流し、ヘッダー４は胴軸方向両端が閉塞された胴部５の胴軸方向の少なくとも３箇所にそれぞれ胴径方向に相対向する一対の流入側分岐口６と流出側分岐口７を設けており、胴部５内の胴軸方向に隣り合う流入・流出側分岐口６，７、６，７同士の間は連通させており、或る流出側分岐口７と、この流出側分岐口７に対向する流入側分岐口６とは別の流入側分岐口６との間は、ループ状配管１２で接続し、該ループ状配管１２の複数箇所からそれぞれスプリンクラーヘッド１３及び／又は給水栓１４を分岐しており、前記流入側分岐口６のうち少なくとも２個は、前記複数の流路２Ａ，２Ｂ，２Ｃのいずれかにそれぞれ接続されており、前記複数の流路２Ａ，２Ｂ，２Ｃのいずれかに接続される前記流入側分岐口６のいずれかが、前記ループ状配管１２に接続される流出側分岐口７に対向していることに特徴を有するものである。
【０００８】
これによると、ループ状配管１２の両端は、或る流出側分岐口７と、この流出側分岐口７に対向する流入側分岐口６とは別の流入側分岐口６とに接続されている。そのため、或るループ状配管１２から分岐した一つ又は二つ以上のスプリンクラーヘッド１３が作動したり、あるいは給水栓１４が使用されたりすると、ループ状配管１２の両端に接続されている流入側分岐口６と流出側分岐口７との双方から、水が供給される。それらの双方から水が供給されるので、それらのうち一方のみから水が供給される場合に比べ、供給される水における圧力損失は小さくなる。
【０００９】
さらに、流入側分岐口６のうち少なくとも２箇所は、複数の流路２Ａ，２Ｂ，２Ｃに接続されている。これにより、複数の流路２Ａ，２Ｂ，２Ｃのうち１つのみから水が供給される場合に比べ、ヘッダー４に流入するまでの水における圧力損失は小さくなる。
【００１０】
さらに、給水配管２の途中箇所にヘッダー４が介在接続されているため、ヘッダー４よりも下流側で水が排出されると、ヘッダー４の内部の水圧は低下する。この時、流入側分岐口６のうちループ状配管１２に接続される流出側分岐口７に対向するものに、複数の流路２Ａ，２Ｂ，２Ｃのいずれかが接続されている。これにより、その流出側分岐口７に対向する流入側分岐口６付近の水圧は、ループ状配管１２に接続される流入側分岐口６付近の水圧よりも高くなる。すなわち、ループ状配管１２内において水圧の勾配が生じる。水圧の勾配が生じるので、ループ状配管１２内に水の流れが生じる。水の流れが生じるので、死水発生を防止できる。
【発明の効果】
【００１１】
本発明のヘッダー配管システムによれば、給水配管系内での死水発生を防止できるうえ、配管の圧力損失を低減でき、末端給水栓やスプリンクラーヘッドや給水栓の水圧の低下を防止できるという利点がある。
【図面の簡単な説明】
【００１２】
【図１】本発明の一実施例を示すヘッダー配管システムの構成図である。
【図２】図１のヘッダー配管システムに採用するヘッダーを一部破断状態で示す平面図である。
【図３】図１のヘッダー配管システムに採用するヘッダーの一側面図である。
【図４】図１のヘッダー配管システムに採用するヘッダーを一部破断状態で示す正面図である。
【図５】図２における一部拡大図である。
【図６】図４における一部拡大図である。
【図７】図１のヘッダー配管システムの一部拡大図である。
【発明を実施するための形態】
【００１３】
以下、本発明の好適な実施形態を図面に基づき説明する。
【００１４】
本発明に係るヘッダー配管システム１は、図１に示すように、上水道から分岐した給水配管２系内での死水発生を防止するために給水配管２の末端はトイレ（トイレタンク）、風呂場、あるいは台所等の末端給水栓３に接続している。そして、給水配管２は複数の流路２Ａ，２Ｂ，２Ｃにいったん分かれ、末端給水栓３に接続される前に合流している。さらに、給水配管２の途中箇所に、少なくとも１個のヘッダー４、図示例では第１のヘッダー４Ａ、第２のヘッダー４Ｂ、第３のヘッダー４Ｃ、第４のヘッダー４Ｄの４個のヘッダー４を介在接続している。
【００１５】
図２〜図６に示すように、各ヘッダー４は胴軸方向両端が閉塞された胴部５の胴軸方向の数箇所にそれぞれ胴径方向に相対向する一対の流入側分岐口６と流出側分岐口７を設けている。胴部５内の胴軸方向に隣り合う流入・流出側分岐口６，７、６，７同士間は連通させている。
【００１６】
図示例では、ヘッダー４は連結式ヘッダーを示しており、複数個の一端用、他端用、中間用のクロス型（十文字型）の胴部５ａ、５ｂ、５ｃをリング８および継手１１を介して連結するものである。
【００１７】
一端用、他端用、中間用の各胴部５ａ、５ｂ、５ｃには胴径方向に相対向する一対の流入側分岐口６と流出側分岐口７を有し、一端用、他端用胴部５ａ、５ｂは各端部側が閉塞されている。一端用、他端用、中間用の各胴部５ａ、５ｂ、５ｃは相互に両端に雄ねじ１０を有する筒形の継手１１を介して連結される。すなわち、一端用、他端用の各胴部５ａ、５ｂの開口側端部、および中間用の胴部５ｃの開口両端部にそれぞれ設けた雌ねじ１２にそれぞれ継手１１の雄ねじ１０をねじ込むことにより一端用胴部５ａ、中間用胴部５ｃ、および他端用胴部５ｂは相互に連結される。この際、一端用、他端用の各胴部５ａ、５ｂの開口側端部、および中間用の胴部５ｃの開口両端部にそれぞれの流路の直径を細く絞るリング８が組み込まれる。また、各流入側分岐口６と流出側分岐口７にもリング９が組み込まれる。
【００１８】
図１に示すように、或る流出側分岐口７と、この流出側分岐口７に対向しない流入側分岐口６との間は、ループ状配管１２で接続する。これにより、図７に示すように、ループ状配管１２の下流側に連通するヘッダー４内の流入側分岐口６とこれに対向する流出側分岐口７との間には下流側流路１５が形成され、ループ状配管１２の上流側に連通するヘッダー４内の流出側分岐口７とこれに対向する流入側分岐口６との間には上流側流路１６が形成され、ヘッダー４内においてこれら上流側流路１６と下流側流路１５との間はリング８および継手１１を介して連通される。そして、ループ状配管１２の数箇所からそれぞれ一つ又は複数個の閉鎖型のスプリンクラーヘッド１３及び給水栓１４の双方を分岐するか、スプリンクラーヘッド１３又は給水栓１４のいずれか一方のみを分岐する。
【００１９】
いま、例えば、図７に示すように、或るループ状配管１２から分岐した一つ又は二つ以上のスプリンクラーヘッド１３が作動するか、あるいは給水栓１４が使用されると、或る流出側分岐口７と、この流出側分岐口７に対向する流入側分岐口６とは別の流入側分岐口６との双方から、水が供給される。それらの双方から水が供給されるので、それらのうち一方のみから水が供給される場合に比べ、供給される水における圧力損失は小さくなる。さらに、流入側分岐口６のうち少なくとも２箇所は、複数の流路２Ａ，２Ｂ，２Ｃに接続されている。これにより、複数の流路２Ａ，２Ｂ，２Ｃのうち１つのみから水が供給される場合に比べ、ヘッダー４に流入するまでの水における圧力損失は小さくなる。さらに、ヘッダー４よりも下流側で水が排出されると、給水配管２の途中箇所にヘッダー４が介在接続されているため、ヘッダー４の内部の水圧は低下する。この時、ループ状配管１２に接続される流出側分岐口７に対向する流入側分岐口６に、複数の流路２Ａ，２Ｂ，２Ｃのいずれかが接続されている。これにより、その流出側分岐口７に対向する流入側分岐口６付近の水圧は、ループ状配管１２に接続される流入側分岐口６付近の水圧よりも高くなる。すなわち、ループ状配管１２内において水圧の勾配が生じる。水圧の勾配が生じるので、ループ状配管１２内に水の流れが生じる。水の流れが生じるので、死水発生を防止できる。
【符号の説明】
【００２０】
１ ヘッダー配管システム
２ 給水配管
３ 末端給水栓
４ ヘッダー
５  胴部
６ 流入側分岐口
７ 流出側分岐口
８  リング
１２  ループ状配管
１３  スプリンクラーヘッド
１４  給水栓
【図１】
2010236251.tif 000003
【図２】
2010236251.tif 000004
【図３】
2010236251.tif 000005
【図４】
2010236251.tif 000006
【図５】
2010236251.tif 000007
【図６】
2010236251.tif 000008
【図７】
2010236251.tif 000009